(57)【特許請求の範囲】
【請求項１】
前方に足乗せ部（４）を有するフレーム脚部（１）と、該フレーム脚部の上部に取り付けられて要介護者を着座させる座部（３１）とを有する要介護者用入浴椅子であって、
前記座部は、前記フレーム脚部に対して前後方向へスライド可能に取りつけられるとともに、前方へせり出すとき同時に上側へ持ち上がるように斜めにスライドすることを特徴とする要介護者用入浴椅子。
【請求項２】
前方に足乗せ部（４）を有するフレーム脚部（１）と、該フレーム脚部の上部に取り付けられて要介護者を着座させる座部（４１）とを有する要介護者用入浴椅子であって、
前記座部は、前記フレーム脚部に対して前後方向へスライド可能かつ鉛直方向を回転軸にして水平面内で回転可能に取りつけられるとともに、前方へせり出すとき同時に上側へ持ち上がるように斜めにスライドすることを特徴とする要介護者用入浴椅子。
【発明の詳細な説明】
【０００１】
【発明の属する技術分野】
本発明は、主に身体障害者や老人等の要介護者を入浴させるときに用いられる要介護者用入浴椅子に関する。
【０００２】
【従来の技術】
例えば、浴室で身体障害者等を洗浄するときに入浴椅子が利用される場合がある。
この種の入浴椅子は、通常、前方に足乗せ部を有するフレーム脚部と、該フレーム脚部の上部に取り付けられる座部とからなっていて、座部の上部に着座される要介護者にシャワーを浴びせる際に、仮に水滴等がフレーム脚部や座部にかかっても支障がないように、座部に取り付けられる緩衝部材は吸水性を有しない材料のものが、また、フレーム脚部や座部の材料として耐食性に優れる例えばステンレス製のものがそれぞれ用いられている。
【０００３】
起立が困難な身体障害者等の要介護者を通常の車椅子から上記入浴椅子へ、あるいは逆に要介護者を入浴椅子から通常の車椅子へ移乗させるときには、入浴椅子を通常の車椅子に横付けし、介護者が要介護者を抱きかかえて持ち上げ、この状態で要介護者を車椅子から入浴椅子へあるいは入浴椅子から車椅子へ移乗させる。
【０００４】
【発明が解決しようとする課題】
従来の要介護者用入浴椅子にあっては、次に示すような欠点があった。
すなわち、車椅子から入浴椅子へ要介護者を移乗させるとき、入浴椅子には通常前方に足乗せ部を有する関係上、この足乗せ部に要介護者の足がぶつからないように、要介護者を入浴椅子に対して斜めに向けて一旦着座させ、その後足を持つ上げながら要介護者を若干回転させて正面を向かせる。
【０００５】
このように要介護者を入浴椅子上で回転させて正面を向かせるときに、臀部が座部上面との間でよじれたりこすれたりすることから、要介護者の間で苦痛を伴うという不満の声があがっていた。
この要介護者の臀部がよじれたりこすれたりするのを防ぐには、入浴椅子上で要介護者を回転させるときに、要介護者を座部上面から離間するように完全に持ち上げて回転させればよいが、介護者にとっては腰を曲げた姿勢で要介護者を持ち上げる作業を強いられることとなり、負担が大きい。
【０００６】
また、要介護者を入浴椅子に着座させるときに、入浴椅子の奥まで達するようにできるだけ深く着座させるのが好ましいが、このときも介護者にとって腰を曲げた状態のまま要介護者を持ち上げる作業を強いられることとなり、特に、腕を伸ばしながら要介護者を持ち上げる姿勢を強いられるときには、介護者の腰にかかる負担がより一層大きくなる。
【０００７】
本発明は、かかる事情に鑑みてなされたもので、その目的とするところは、車椅子から移乗させるとき等において介護者の負担を軽減でき、加えて、要介護者の臀部がよじれたりこすれたりするおそれのない要介護者用入浴椅子を提供することにある。
【０００８】
【課題を解決するための手段】
係る目的を達成するために、本願の請求項１記載の発明では、前方に足乗せ部を有するフレーム脚部と、該フレーム脚部の上部に取り付けられて要介護者を着座させる座部とを有する要介護者用入浴椅子であって、前記座部は、前記フレーム脚部に対して前後方向へスライド可能に取りつけられるとともに、前方へせり出すとき同時に上側へ持ち上がるように斜めにスライドすることを特徴とする。
請求項２記載の発明では、前方に足乗せ部を有するフレーム脚部と、該フレーム脚部の上部に取り付けられて要介護者を着座させる座部とを有する要介護者用入浴椅子であって、前記座部は、前記フレーム脚部に対して前後方向へスライド可能かつ鉛直方向を回転軸にして水平面内で回転可能に取りつけられるとともに、前方へせり出すとき同時に上側へ持ち上がるように斜めにスライドすることを特徴とする。
【０００９】
【発明の実施の形態】
以下、本発明の参考例および実施の形態を図面を参照して説明する。
〈第１の参考例〉
図１〜図３は本発明の要介護者用入浴椅子の第１の参考例を示すものであり、図１は側面図、図２は平面図である。
図において符号１はフレーム脚部である。フレーム脚部１の下部にはキャスタ３，…が、また、前方には足乗せ部４，４が張り出した状態で取りつけられている。また、フレーム脚部１には背もたれ部５が起立するように固定的に取りつけられ、背もたれ部５の背部には介護者が当該入浴椅子を押すときに利用するハンドル部６が配設されている。さらに、フレーム脚部１には、後述する座部１１上に着座する要介護者が自身の安定を図るために把持するハンドル７が垂直方向に回転自在に取りつけられている。
なお、前記足乗せ部４，４は前後方向に延びる軸線４ａを中心に回転自在とされて、収納状態と使用状態とに切り替えられるようになっている。
【００１０】
フレーム脚部１の上部には座部１１が、回転機構１２を介して鉛直方向を回転軸にして水平面内で回転可能に取り付けられている。なお、座部１１は、それに着座する要介護者への洗浄が行い易いように、前部中央が切り欠かれている（図２参照）。
回転機構１２は、図３に示すように、前記座部１１に固定される上板部１２ａと、上板部１２ａの下側に配置されて前記フレーム脚部１に固定される中板部１２ｂと、上板部１２ａと中板部１２ｂとの間に介装されるベアリング１２ｃと、上板部１２ａとの間にベアリング１２ｃを間に挟み込むように中板部１２ｂの下側に配されるとともに前記上板部１２ａと一体的に回転する下板部１２ｄから構成されている。
【００１１】
また、回転機構１２には、前記フレーム脚部１と前記座部１１との相対回転を規制するロック機構１３が付設されている。ロック機構１３は、前記下板部１２ｄの側板部分に所定角度置きに孔１２ｄｄが形成される一方、前記フレーム脚部１にビス１４ａ，１４ａを介して案内筒１４が固定的に取りつけられ、案内筒１４にはロッド１５が軸線方向にスライド自在に嵌入され、該ロッド１５の先端が前記孔１２ｄｄに挿入されることにより、前記したようにフレーム脚部１と前記座部１１との相対回転が規制される構成になっている。なお、ロッド１５はスプリング１６によって孔に挿入する方向（図３において右方向）へ常時付勢されている。
【００１２】
次に、上記構成の要介護者用入浴椅子の作用について説明する。
車椅子から上記入浴椅子へ要介護者を移乗させる場合には、要介護者を乗せた車椅子を当該入浴椅子に横付けし、介護者が要介護者を抱きかかえて持ち上げ、この状態で要介護者を車椅子から入浴椅子へ移乗させる。
【００１３】
このとき、入浴椅子の座部１１を予め車椅子側に例えば４５度の傾斜角θを有するように斜めに傾斜させておくとともに、ハンドル７を図１中２点鎖線で示すように上方に倒して収納状態にしておき、この状態で、要介護者を座部１１に対して正面となるように（フレーム脚部１に対しては斜めに傾斜するように）位置決めして座部１１上に一旦着座させる。その後、介護者は要介護者の足を持ち上げて座部１１ごと要介護者を回転させてフレーム脚部１に対して正面を向かせる。
【００１４】
上記座部１１を回転させるとき、事前にロッド１５を引っ張って、ロッド１５の先端を孔１２ｄｄから引き抜いてロック機構１３を解除させておく。この状態で、座部１１を回転させると、座部１１がフレーム脚部１に対して正面の位置に来たときに、スプリング１６によって常時図３中右方に押されているロッド１５の先端が下板部１２ｄの孔１２ｄｄに合致し、そこに挿入する。つまり、ロック機構１３が自動的に働いて、フレーム脚部１に対し座部１１の回転を規制する。このように座部１１を固定した状態で、要介護者を洗浄する。
【００１５】
要介護者の洗浄が終わり要介護者を再び車椅子に戻す場合には、前記とは逆にロッド１５を手前側（図３中左方）に引いてロック機構１３を解除する。そして、要介護者を乗せたまま座部１１を回転させる。座部１１が所定角度まで回転すると、ロック機構１３が自動的に働いて座部１１をその回転位置に保持する。この状態で、要介護者は、斜めに向いてある要介護者を持ち上げて車椅子に移乗させればよい。
【００１６】
上記のような入浴椅子への移乗方法であると、入浴椅子に対して斜めに乗せた後、要介護者を回転させて正面を向かせるときに要介護者と一体的に座部１１も回転するので、要介護者の臀部が座部上面との間でよじれたり、こすれたりすることはない。
また、要介護者を回転させるときに座部１１ごと一体的に回転させるので要介護者の回転がスムーズに行えることとなり、介護者の労力が軽減される。
【００１７】
〈第２の参考例〉
図５及び図６は本発明の第２の参考例を示すものである。
この参考例の特徴は、座部２１が周辺部２２と中央部２３に分割形成され、中央部２３のみが鉛直方向を回転軸にして回転可能な構成になっている点である。なお、説明の便宜上、上記第１の実施の形態で説明した構成要素を同一の構成要素には同一符号を付してその説明を省略する。これについては、以下に示す第３，第４の実施の形態についても同様である。
すなわち、図６に示すように、座部２１の周辺部２２を支えるフレーム２２ａは下方のフレーム脚部１に固定的に取り付けられており、このフレーム２２ａと中央部２３との間に前記した回転機構１２が介装されている。また、ここでも、回転機構１２にロック機構１３が付設されている。
【００１８】
上記した第２の参考例の入浴椅子にあっても、入浴椅子に対して斜めに乗せた後、要介護者を回転させて正面を向かせるときに要介護者と一体的に座部２１の中央部２３も回転させることができるので、第１の参考例と同様に、要介護者の臀部が座部上面との間でよじれたりこすれたりすることがなく、しかも介護者の労力を軽減できる。
加えて、図５，図６に示すように、座部２１の中央部２３の外周部を周辺部２２上に乗り上げるようにオーバーハングさせるような大径構造にすれば、座部２１の中央部２３と周辺部２２の間で、要介護者の臀部がはさまってこすれたりよじれたりするのを防止できる。
【００１９】
〈第１の実施の形態〉
図７及び図８は本発明の第１の実施の形態を示すものである。
この実施の形態の特徴は、座部３１がフレーム脚部１に対して前後方向（図７において左右方向）へスライド可能に取りつけられている点である。
すなわち、図７に示すように、座部３１とフレーム脚部１との間にスライド機構３２が介装され、このスライド機構３２を介して座部３１がスライド可能になっている。
【００２０】
スライド機構３２は、図８に示すように、フレーム脚部１にブラケット３２ａを介して固定されるスライド板部３２ｂと、座部３１のフレーム３１ａにブラケット３２ｃを介して固定されるスライド板部３２ｄと、両スライド板部３２ｂ，３２ｄの間に介装されるベアリング３２ｅとから構成されている。スライド板部３２ｂ，３２ｄは図７に示すように前側が持ち上がるように前後方向に斜めに傾斜して配置されている。また、スライド機構３２にも、フレーム脚部１と座部３１との相対移動を規制するロック機構３３が付設されている。ロック機構３３は、前記ブラケット３２ｃの下側板部に所定間隔置きに孔３２ｃｃが形成される一方、前記フレーム脚部１に案内筒１４が固定的に取りつけられ、案内筒１４にはロッド１５がその軸線方向にスライド自在に嵌入され、該ロッド１５の先端が前記孔３２ｃｃに挿入されることにより、フレーム脚部１と座部３１との相対移動が規制される構成になっている。なお、図８において１６はロッド１５を図８において右方へ付勢するスプリングである。
【００２１】
上記した第１の実施の形態の入浴椅子によれば、車椅子から当該入浴椅子へ要介護者を移乗させる場合に、前記第２の参考例での入浴椅子と同様に、要介護者を乗せた車椅子を当該入浴椅子に横付けし、介護者が要介護者を抱きかかえて持ち上げ、この状態で要介護者を車椅子から入浴椅子へ移乗させる。
【００２２】
このとき、入浴椅子の座部３１を予め前方へスライドさせてロック機構によってロックさせておき、この状態で、図７中２点鎖線で示すように、要介護者をこのスライドさせてある座部３１上に着座させる。その後、介護者はロッド１５を引っ張り、ロッド１５の先端を孔３２ｃｃから引き抜くことでロック機構３３を解除する。すると、前記したようにスライド板部３２ｂ，３２ｄを前側が持ち上がるように予め傾斜させて配置させていること、及び着座している要介護者の重量が加わることから、結局、座部３１は図７において左方へスライドして正規の位置に至る。これと同時に、スプリング１６によって常時図８中右方に押されているロッド１５の先端がブラケット３２ｃの孔３２ｃｃに合致しそこに挿入する。つまり、ロック機構３３が自動的に働いて、フレーム脚部１に対し座部１１のスライドを規制する。この状態で、要介護者を洗浄する。
【００２３】
要介護者の洗浄が終わり要介護者を再び車椅子に戻す場合には、前記とは逆にロッド１５を手前側（図８中左方）に引いてロック機構３３を解除する。そして、要介護者を乗せたまま座部３１を前方へスライドさせる。座部３１が所定位置までスライドすると、ロック機構３３が自動的に働いて座部３１をその位置に保持する。この状態で、要介護者は、要介護者を持ち上げて車椅子に移乗させればよい。
【００２４】
上記のような入浴椅子への移乗方法であると、要介護者を入浴椅子の奥まで達するようにできるだけ深く着座させるに際し、予め座部２１を前方にスライドさせておきこの状態で要介護者を着座させ、その後座部２１を後方へスライドさせるものであるから、介護者にとっては要介護者を入浴椅子の手前に浅く着座させる作業で足り、介護者の負担は大幅に軽減される。
【００２５】
なお、前記した図８に示すスライド機構３２は、スライド板部３２ｂとスライド板部３２ｄとの間にベアリング３２ｅを介装した構成を採用しているが、これに限られることなく、図９に示すように、フレーム脚部１にレール３６を取りつける一方、座部３１のフレームにローラ３７を取りつけ、このローラ３７をレール３６上に走行させる構成にしてもよい。なお、図９に示す形態では、座部３１にローラ３７を取りつけるためのブラケット３８を下方に延ばしてレール３６の下側にまで至らせており、これにより、座部３１がフレーム脚部１から浮き上がるのも防止する構成になっている。
【００２６】
〈第２の実施の形態〉
図１０及び図１１は本発明の第２の実施の形態を示すものである。この実施の形態の特徴は、前記第２の参考例及び第１の実施の形態のときにそれぞれ説明した回転機構１２及びスライド機構３２を、座部４１とフレーム脚部１との間に組み込ませた点である。
【００２７】
すなわち、フレーム脚部１と中間フレーム４２との間にはスライド機構３２が取りつけられ、中間フレーム４２には、固定的に配される周辺部２２と回転可能な中央部２３とに分割された座部４１が取りつけられている。なお、スライド機構３２と回転機構１２にはそれぞれロック機構が付勢されている（図ではスライド機構３２のロック機構３３しか図示してない）。
【００２８】
上記要介護者用入浴椅子によれば、スライド機構３２によって座部４１を中間フレーム４２とともにスライドさせることができ、その後、回転機構１２を働かことで座部４１の中央部２３を回転させることができ、結果的に、座部４１の中央部２３をスライドと回転の双方の動きをさせることができる。
これにより、例えば要介護者を車椅子から当該入浴椅子へ移乗させるときには、要介護者を抱きかかえて入浴椅子の手前部分に若干の角度を持つように移乗させれば足りることから、より一層介護者の労力軽減が図れる。
なお、上記の実施の形態では、座部４１の中央部２３のみを回転可能な構成にしているが、これに限られることなく、座部４１全体を中間フレームおよびフレーム脚部１に対して回転可能な構成にしてもよい。
【００２９】
なお、上記した各実施の形態で示す回転機構１２及びスライド機構３２はあくまで一例であり、必要に応じて適宜設計変更可能である。また、ロック機構１３，３３についても同様である。
また、図１０及び図１１に示す第２の実施の形態では、回転機構１２とスライド機構３２を組み込ませるにあたって、座部４１の中央部２３のみを回転させるようにしているが、座部４１全体を回転させる構成にしてもよい。
また、座部４１を回転あるいはスライドするにあたり、背もたれ部５も座部４１と一体的に回転あるいはスライドする構成にしてもよい
【００３０】
【発明の効果】
以上説明したように本発明によれば以下の優れた効果を奏する。
請求項１記載の要介護者用入浴椅子では、座部をフレーム脚部に対して前後方向へスライド可能に取りつけられるとともに、前方へせり出すとき同時に上側へ持ち上がるように斜めにスライドするので、要介護者を当該入浴椅子の奥部に着座させるとき、要介護者を座部の手前に着座させた後要介護者を座部ごと奥方へスライドさせればよく、要介護者の臀部が座部上面との間でよじれたりこすれたりすることはなく、しかも、介護者の労力が軽減される。そして、座部を奥方へスライドさせるとき座部及びそこに着座する要介護者の重量を利用することができ、要介護者をスムーズに奥方へ移動させることができる。
請求項２記載の要介護者用入浴椅子では、座部がフレーム脚部に対して前後方向へスライド可能かつ鉛直方向を回転軸にして水平面内で回転可能に取りつけられるとともに、前方へせり出すとき同時に上側へ持ち上がるように斜めにスライドすることから、請求項１記載の入浴椅子と同様に、座部を奥方へスライドさせるとき座部及びそこに着座する要介護者の重量を利用することができ、要介護者をスムーズに奥方へ移動させることができ、介護者の労力を軽減することができる。
【図面の簡単な説明】
【図１】 本発明の第１の参考例を示す要介護者用入浴椅子の側面図である。
【図２】  同要介護者用入浴椅子の平面図である。
【図３】  同要介護者用入浴椅子に使用されている回転機構の詳細を示す側断面図である。
【図４】  同要介護者用入浴椅子に使用されている回転機構の詳細を示す平断面である。
【図５】  本発明の第２の参考例を示す要介護者用入浴椅子の平面図である。
【図６】  同要介護者用入浴椅子に使用されている回転機構の詳細を示す側断面図である。
【図７】  本発明の第１の実施の形態を示す要介護者用入浴椅子の側面図である。
【図８】   同要介護者用入浴椅子に使用されているスライド機構の詳細を示す要部断面図である。
【図９】  同要介護者用入浴椅子に使用されているスライド機構の他の実施形態を示す要部断面図である。
【図１０】  本発明の第２の実施の形態を示す要介護者用入浴椅子の平面図である。
【図１１】  同要介護者用入浴椅子に使用されている回転機構及びスライド機構の詳細を示す要部断面図である。
【符号の説明】
１   フレーム脚部
３   キャスタ
４   足乗せ部
７   ハンドル
１１   座部
１２   回転機構
１３   ロック機構
２１   座部
２２   周辺部
２３   中央部
３１   座部
３２   スライド機構
３３   ロック機構
４１   座部
【図１】
0003986605.tif 000002
【図２】
0003986605.tif 000003
【図３】
0003986605.tif 000004
【図４】
0003986605.tif 000005
【図５】
0003986605.tif 000006
【図６】
0003986605.tif 000007
【図７】
0003986605.tif 000008
【図８】
0003986605.tif 000009
【図９】
0003986605.tif 000010
【図１０】
0003986605.tif 000011
【図１１】
0003986605.tif 000012